(57)【要約】【課題】  インクカートリッジ側にインク供給口キャップを係止するための加工を別途行う必要がなく、簡易な構造でありながらインクカートリッジに対する着脱を自在に行うことができるインク供給口キャップを提供することを目的としている。【解決手段】  本考案にかかるインク供給口キャップ１は、キャップ本体２と、内蓋３とを有し、キャップ本体２は、インクカートリッジを支持する凹状のカートリッジ受部２１と、インクカートリッジの突起形成面４４に当接するカートリッジ当接部２２とを備えており、カートリッジ受部２１の上面には、円筒状インク供給口４７を挿入する有底状の供給口挿入穴２３が形成されているとともに、カートリッジ当接部２２には、インクカートリッジ４の位置決め突起４５ａ，４５ｂを離脱可能に係止する係止孔２４ａ，２４ｂが形成され、内蓋３は、供給口挿入穴２３の底面２３ａに敷設されている。【選択図】  図１
0003176696.tif 000002
【実用新案登録請求の範囲】
【請求項１】
インクカートリッジの不使用時にインク供給口を封止するためのインク供給口キャップであって、
キャップ本体と、内蓋とを有し、
前記キャップ本体は、前記インクカートリッジの底面部分を支持する凹状のカートリッジ受部と、前記インクカートリッジをインクジェット記録装置に位置決めするための位置決め突起が形成された前記インクカートリッジの突起形成面に当接するカートリッジ当接部とを備えており、
前記カートリッジ受部の上面には、前記インクカートリッジの円筒状インク供給口を挿入する有底状の供給口挿入穴が形成されているとともに、前記カートリッジ当接部には、前記インクカートリッジの前記位置決め突起を離脱可能に係止する係止孔が形成され、
前記内蓋は、前記供給口挿入穴の底面に敷設されているインク供給口キャップ。
【請求項２】
前記供給口挿入穴の内周面に、前記インクカートリッジを前記カートリッジ当接部側に押圧して固定するための固定用突起が形成されている請求項１に記載のインク供給口キャップ。
【請求項３】
前記供給口挿入穴の底面には、前記内蓋の着脱を容易にするための着脱用小孔が形成されている請求項１または請求項２に記載のインク供給口キャップ。
【考案の詳細な説明】
【技術分野】
【０００１】
本考案は、不使用時のインクカートリッジに装着されるインク供給口キャップに関する。
【背景技術】
【０００２】
従来より、インクカートリッジの物流時や保管時において、インク供給口からのインクの漏れや蒸発を防止するために、インク供給口を封止することが一般に行われている。    
【０００３】
そして、インク供給口を封止する構造としては、一般にキャップによるものやシールテープによるものが使用されている（例えば、特許文献１）。
【先行技術文献】
【特許文献】
【０００４】
【特許文献１】特開平９−２５１４号公報
【考案の概要】
【考案が解決しようとする課題】
【０００５】
特許文献１に開示されているキャップには、インクカートリッジの側面にこのキャップを係止させるための凹部が形成されている。このため、インクカートリッジ側にもキャップを係止するための加工が必要になるという問題がある。また、シールテープは一度剥がすと再利用することができず、インクが残存した状態でインクカートリッジをインクジェット記録装置から取り外して保管することができないという問題がある。
【０００６】
そこで、本考案はこのような問題点を解決するためになされたものであって、インクカートリッジ側にインク供給口キャップを係止するための加工を別途行う必要がなく、既存の構成を利用して簡易な構造でありながらインクカートリッジに対する着脱を自在に行うことができるインク供給口キャップを提供することを目的としている。
【課題を解決するための手段】
【０００７】
本考案にかかるインク供給口キャップは、インクカートリッジの不使用時にインク供給口を封止するためのインク供給口キャップであって、キャップ本体と、内蓋とを有し、キャップ本体は、インクカートリッジの底面部分を支持する凹状のカートリッジ受部と、インクカートリッジをインクジェット記録装置に位置決めするための位置決め突起が形成されたインクカートリッジの突起形成面に当接するカートリッジ当接部とを備えており、カートリッジ受部の上面には、インクカートリッジの円筒状インク供給口を挿入する有底状の供給口挿入穴が形成されているとともに、カートリッジ当接部には、インクカートリッジの位置決め突起を離脱可能に係止する係止孔が形成され、内蓋は、供給口挿入穴の底面に敷設されている。
【０００８】
また、本考案の一態様として、供給口挿入穴の内周面に、インクカートリッジをカートリッジ当接部側に押圧して固定するための固定用突起が形成されていてもよい。
【０００９】
さらに、本考案の一態様として、供給口挿入穴の底面には、内蓋の着脱を容易にするための着脱用小孔が形成されていてもよい。
【考案の効果】
【００１０】
本考案のインク供給口キャップによれば、インクカートリッジ側にインク供給口キャップを係止するための加工を別途行う必要がなく、既存の構成を利用して簡易な構造でありながらインクカートリッジに対する着脱を自在に行うことができる。
【図面の簡単な説明】
【００１１】
【図１】本考案にかかるインク供給口キャップの一実施形態およびインクカートリッジを示す分解斜視図である。
【図２】本実施形態におけるインク供給口キャップを示す斜視図である。
【図３】本実施形態におけるインク供給口キャップを示す中央横断面図である。
【考案を実施するための形態】
【００１２】
以下、本考案にかかるインク供給口キャップの一実施形態について図面を用いて説明する。
【００１３】
本実施形態にかかるインク供給口キャップ１は、インクカートリッジ４の不使用時に円筒状インク供給口４７を封止するためのインク供給口キャップ１であって、図１から図３に示すように、主としてキャップ本体２と内蓋３とから構成される。以下、本実施形態の各構成について詳細に説明する。
【００１４】
本実施形態に係るインク供給口キャップ１が装着されるインクカートリッジ４は、インクジェット記録装置（図示しない）に対してインクを供給するものである。このインクカートリッジ４の構成は、図１に示すように、インクが収容されたインク容器４１と、インクカートリッジ４をインクジェット記録装置に固定するためのラッチレバー４２と、このラッチレバー４２が取り付けられたレバー取付面４３とは反対の突起形成面４４に、前記インクカートリッジ４を前記インクジェット記録装置に位置決めするために形成された位置決め突起４５ａ，４５ｂとを有する。
【００１５】
また、インクカートリッジ４の底面４６には、図１に示すように、インク容器４１に収容されたインクをインクジェット記録装置に供給するための円筒状インク供給口４７が設けられている。
【００１６】
本実施形態に係るインク供給口キャップ１のキャップ本体２は、図１から図３に示すように、インクカートリッジ４の底面４６部分を支持する凹状に形成されたカートリッジ受部２１と、インクカートリッジ４の突起形成面４４に当接するカートリッジ当接部２２を有し、いずれもポリプロピレンによって形成されている。
【００１７】
キャップ本体２のカートリッジ受部２１の上面には、図１から図３に示すように、インクカートリッジ４の円筒状インク供給口４７を挿入する有底状の供給口挿入穴２３が形成されている。なお、本実施形態では、図３に示すように、カートリッジ受部２１の凹状を構成するために断面Ｈ状に成形されているが、この形状に限定されるものではなく、平坦底面からなる断面凹状に成形してもよい。このように、カートリッジ受部２１を断面Ｈ状又は断面凹状に形成して、キャップ本体２を自立させる形状に形成することにより、インク供給口キャップ１が装着されたインクカートリッジ４を立てて保管することが可能となる。
【００１８】
キャップ本体２のカートリッジ当接部２２には、図２に示すように、前記カートリッジ当接部２２がインクカートリッジ４の突起形成面４４に当接した際に、位置決め突起４５ａ，４５ｂに対向する位置に当該位置決め突起４５ａ，４５ｂを離脱可能に係止する係止孔２４ａ，２４ｂが形成されている。
【００１９】
つぎに、本実施形態に係るインク供給口キャップ１の内蓋３は、円筒状インク供給口４７を封止するためのものであって、シリコンラバー等のゴム材料で形成されており、図１から図３に示すように、キャップ本体２の供給口挿入穴２３の底面２３ａに敷設される。この内蓋３は、図１および図３に示すように、上段円柱３１と下段円柱３２からなる二段円柱状に形成されており、円筒状インク供給口４７を封止する際に、上段円柱３１の外周面３１ａが円筒状インク供給口４７の内周面に密着し、円筒状インク供給口４７の先端面４７ａが下段円柱３２の上面３２ａに当接するようになっている。このため、内蓋３の上段円柱３１の直径は円筒状インク供給口４７の内周面の直径よりも大きく、内蓋３の下段円柱３２の直径は、上段円柱３１の直径よりも大きく、かつ円筒状インク供給口４７の外周面４７ｂの直径よりも大きく形成されている。
【００２０】
また、供給口挿入穴２３の内周面２３ｂには、図１から図３に示すように、インクカートリッジ４をカートリッジ当接部２２側に押圧して固定するための固定用突起２５が形成されている。この固定用突起２５を形成したことにより、インク供給口キャップ１をインクカートリッジ４に装着する際、固定用突起２５が円筒状インク供給口４７の外周面４７ｂをカートリッジ当接部２２側に押圧する。したがって、係止孔２４ａ，２４ｂに係止された位置決め突起４５ａ，４５ｂが外れにくくなり、カートリッジ当接部２２に形成された係止孔２４ａ，２４ｂのみでインク供給口キャップ１をインクカートリッジ４に係止する場合よりもインク供給口キャップ１全体を強く固定することができる。
【００２１】
さらに、供給口挿入穴２３の底面２３ａには、図１および図３に示すように、内蓋３の着脱を容易にするための着脱用小孔２６が形成されている。この着脱用小孔２６を形成したことにより、インク供給口キャップ１の製造時に、供給口挿入穴２３に内蓋３を敷設する際、供給口挿入穴２３の底面２３ａと内蓋３との間の空気を逃がしやすく、内蓋３を容易に敷設することができる。また、インク供給口キャップ１の製造時に内蓋３を誤って上下反対向きに供給口挿入穴２３に敷設してしまったときでも、この着脱用小孔２６から空気や細い針等を挿入して内蓋３を取り出し、容易に敷設し直すことができる。
【００２２】
また、本実施形態においては、インク供給口キャップ１をインクカートリッジ４に着脱しやすくするため、図１および図２に示すように、カートリッジ当接部２２の上端を水平方向に延出した着脱部２７を形成している。この着脱部２７を指でつまんだり、着脱部２７に指を引っ掛けたりするなどして、インク供給口キャップ１をインクカートリッジ４に容易に着脱することができる。
【００２３】
以上のように、本考案によれば、以下のような作用効果を奏することができる。
１．インクカートリッジ４の位置決め突起４５ａ，４５ｂを利用してインク供給口キャップ１の係止孔２４ａ，２４ｂを係止することができるため、インクカートリッジ４側にインク供給口キャップ１を係止するための加工を別途行う必要がなく、簡易な構造でありながら着脱を自在に行うことができる。
２．供給口挿入穴２３に固定用突起２５を形成したことにより、係止孔２４ａ，２４ｂのみでインク供給口キャップ１をインクカートリッジ４に係止する場合よりもインク供給口キャップ１全体を強く固定することができる。
３．供給口挿入穴２３に着脱用小孔２６を形成したことによりインク供給口キャップ１の製造時に、供給口挿入穴２３に内蓋３を敷設する際、供給口挿入穴２３の底面２３ａと内蓋３との間の空気を逃がしやすく、内蓋３を容易に敷設することができる。また、インク供給口キャップ１の製造時に内蓋３を誤って上下反対向きに供給口挿入穴２３に敷設してしまったときでも、この着脱用小孔２６から空気や細い針等を挿入して内蓋３を取り出し、容易に敷設し直すことができる。
４．キャップ本体２を自立させる形状に形成することにより、インク供給口キャップ１が装着されたインクカートリッジ４を立てて保管することが可能となる。
【００２４】
なお、本考案に係るインク供給口キャップ１は、前述した実施形態に限定されるものではなく、適宜変更することができる。
【００２５】
例えば、本実施形態におけるインクカートリッジ４は、図１に示すように、位置決め突起４５ａ，４５ｂが２箇所形成されているため、インク供給口キャップ１の係止孔２４ａ，２４ｂも位置決め突起４５ａ，４５ｂに対向する位置に２箇所形成しているが、位置決め用突起が１箇所のみのインクカートリッジ４には、インク供給口キャップ１の係止孔は１箇所となり、インク供給口キャップ１の係止孔の位置及び数は、インクカートリッジ４の位置決め突起の位置及び数に対応するように適宜変更することができる。
【００２６】
また、本実施形態におけるインク供給口キャップ１におけるキャップ本体２の材質は、ポリプロピレンを使用したが、インク供給口キャップ１として機能を果たす材質であれば、たとえばその他の合成樹脂であってもよく、材質は必要に応じて適宜変更することができる。
【００２７】
また、本実施形態における内蓋３の材質は、シリコンラバーを使用したが、不使用時のインクカートリッジ４内のインクが漏れたり乾燥したりしないように密閉機能を果たす材質であればこれに限定されない。
【符号の説明】
【００２８】
１  インク供給口キャップ
２  キャップ本体
２１  カートリッジ受部
２２  カートリッジ当接部
２３  供給口挿入穴
２３ａ  底面
２３ｂ  内周面
２４ａ，２４ｂ  係止孔
２５  固定用突起
２６  着脱用小孔
２７  着脱部
３  内蓋
３１  上段円柱
３１ａ  外周面
３２  下段円柱
３２ａ  上面
４  インクカートリッジ
４１  インク容器
４２  ラッチレバー
４３  レバー取付面
４４  突起形成面
４５ａ，４５ｂ  位置決め突起
４６  底面
４７  円筒状インク供給口
４７ａ  先端面
４７ｂ  外周面
【図１】
0003176696.tif 000003
【図２】
0003176696.tif 000004
【図３】
0003176696.tif 000005